(57)【要約】【課題】低コストで生産性を低下させずに、記録材の正確な位置に画像形成を行い、さらに記録材の正確な位置に穿孔処理を行うことができる画像形成装置を提供する。【解決手段】記録材に画像形成を行う画像形成手段と、前記画像形成手段に搬送される前記記録材の搬送方向に直交する方向の端部の位置を検知する検知手段と、前記検知手段の検知結果に基づいて前記画像形成手段を制御して前記記録材に画像形成させる位置の制御を行う画像形成位置制御手段と、を有する画像形成装置において、前記記録材に孔を穿孔する穿孔刃を有する穿孔手段と、前記検知手段の検知結果に基づいて前記穿孔手段を制御して前記記録材に孔を穿孔させる位置の制御を行う穿孔位置制御手段とを有することを特徴とする画像形成装置。【選択図】　　　　図１
2004091173.tif 000002
【特許請求の範囲】
【請求項１】
記録材に画像形成を行う画像形成手段と、
前記画像形成手段に搬送される前記記録材の搬送方向に直交する方向の端部の位置を検知する検知手段と、
前記検知手段の検知結果に基づいて前記画像形成手段を制御して前記記録材に画像形成させる位置の制御を行う画像形成位置制御手段と、
を有する画像形成装置において、
前記記録材に孔を穿孔する穿孔刃を有する穿孔手段と、
前記検知手段の検知結果に基づいて前記穿孔手段を制御して前記記録材に孔を穿孔させる位置の制御を行う穿孔位置制御手段と、
を有することを特徴とする画像形成装置。
【請求項２】
前記穿孔位置制御手段における前記穿孔手段の制御は、前記検知手段の検知結果に基づいて前記記録材の搬送方向に対して直交する方向に少なくとも前記穿孔刃を移動させて穿孔させる制御であることを特徴とする請求項１に記載の画像形成装置。
【発明の詳細な説明】
【０００１】
【発明の属する技術分野】
本発明は、画像形成装置に関し、画像形成装置により画像が形成された用紙に対して穿孔処理を行う画像形成装置に関する。
【０００２】
【従来の技術】
近年は、電子写真複写機等の画像形成装置により画像が形成された用紙に対して、用紙をファイルするための穿孔処理を自動的に行う穿孔装置を有する画像形成装置が提供されている。これにより、出力された記録材を従来の如くオペレータが束ねて事務用パンチにセットし、位置決めをして孔空け作業をする手間が省け、事務作業が非常に効率的になっている。
【０００３】
このような画像形成装置において、記録材が片寄って搬送されてきた場合には、穿設された孔も片寄ってしまい、その結果、記録材が片寄ってファイリングされてしまうという問題がある。
【０００４】
この問題を解決する技術としては、穿孔装置に、記録材の片寄りを検知する片寄り検知センサを設け、該センサにより検知された記録材の片寄りの情報に基づいて穿孔刃を移動して、用紙の正しい位置に穿孔処理を行うという技術がある。
【０００５】
また、特許第２５５０５５８号公報や特願平１１−７７７２８号明細書には、記録材の穿孔に関する記載はないが、記録材の片寄りを複数の検知センサで検知し、検知結果に基づいて画像データのメモリ上での位置を補正する画像書込位置の補正についての技術が記載されている。
【０００６】
【発明が解決しようとする課題】
しかしながら、穿孔装置に、記録材の片寄りを検知する片寄り検知センサを設けた場合には、少なくとも片寄り検知センサ分のコストが加算される。また、穿孔装置に、片寄り検知センサを設置するための新たなスペースを確保する必要がある。
【０００７】
さらに、片寄り検知センサで用紙の片寄りを検知させるために、高速機の場合、片寄り検知センサ付近で用紙の搬送速度を遅くさせる対応を図る場合も有り、装置の高速化の妨げになり、生産性の向上を図ることができなくなってしまう。
【０００８】
本発明はかかる問題に鑑みてなされたものであり、本発明の目的は、低コストで生産性を低下させずに、記録材の正確な位置に画像形成を行い、さらに記録材の正確な位置に穿孔処理を行うことができる画像形成装置を提供することである。
【０００９】
【課題を解決するための手段】
本発明の目的は下記の構成により達成される。
【００１０】
（１）　記録材に画像形成を行う画像形成手段と、前記画像形成手段に搬送される前記記録材の搬送方向に直交する方向の端部の位置を検知する検知手段と、前記検知手段の検知結果に基づいて前記画像形成手段を制御して前記記録材に画像形成させる位置の制御を行う画像形成位置制御手段と、を有する画像形成装置において、前記記録材に孔を穿孔する穿孔刃を有する穿孔手段と、前記検知手段の検知結果に基づいて前記穿孔手段を制御して前記記録材に孔を穿孔させる位置の制御を行う穿孔位置制御手段と、を有することを特徴とする画像形成装置。
【００１１】
（２）　前記穿孔位置制御手段における前記穿孔手段の制御は、前記検知手段の検知結果に基づいて前記記録材の搬送方向に対して直交する方向に少なくとも前記穿孔刃を移動させて穿孔させる制御であることを特徴とする（１）に記載の画像形成装置。
【００１２】
【発明の実施の形態】
本発明の画像形成装置について、以下にその実施の形態を図を用いて説明するが、本発明はこれに限定されない。また、以下の説明には用語等に対する断定的な表現が含まれている場合があるが、本発明の好ましい例を示すものであって、本発明の用語の意義や技術的な範囲を限定するものではない。
【００１３】
図１に本発明の画像形成装置の断面構成図を示す。図１の装置は、デジタル方式による画像形成装置であって、画像読み取り部Ａ、画像処理部Ｂ、本発明に係る画像形成手段である画像形成部Ｃ、記録材搬送手段としての記録材搬送部Ｄ、本発明に係る穿孔手段である穿孔部Ｅ、本発明に係る画像形成位置制御手段、穿孔位置制御手段である制御部Ｆ等を有している。
【００１４】
図１に示す画像形成装置は、制御部Ｆの制御により以下に説明する手順で記録材Ｐに画像を形成して孔を穿孔する。
【００１５】
画像読み取り部Ａの上部には原稿を自動搬送する自動原稿送り手段が設けられていて、原稿載置台１１上に載置された原稿は原稿分離ローラＨにより、１枚毎に分離され、分離された原稿は原稿搬送ローラ１２を介して読み取り位置１３ａに搬送されて、画像の読み取りが行われる。
【００１６】
原稿読み取りが終了した原稿は原稿搬送ローラ１２と原稿排紙ローラＧによって原稿排紙皿１４上に排出される。
【００１７】
このとき、後述する第１ミラーユニット１５は前記読み取り位置１３ａの直下で位置固定状態にあり、第２ミラーユニット１６も所定の光路長を保つ位置に固定されている。
【００１８】
一方、プラテンガラス１３上に置かれた場合の原稿の画像は走査光学系を構成する照明ランプ及び第１ミラーからなる第１ミラーユニット１５の速度ｖによる読み取り動作と、Ｖ字状に位置した第２ミラー及び第３ミラーからなる第２ミラーユニット１６の同方向への速度ｖ／２による移動によって読み取られる。
【００１９】
読み取られた画像は、投影レンズ１７を通してラインセンサである撮像素子ＣＣＤの受光面に結像される。
【００２０】
撮像素子ＣＣＤ上に結像されたライン状の光学像は順次電気信号（輝度信号）に変換されたのち、Ａ／Ｄ変換され、画像処理部Ｂにおいて濃度変換、フィルタ処理などの処理を施された後、その画像データは一旦メモリに記憶される。
【００２１】
一方、記録材搬送部Ｄでは、記録材Ｐが収納された記録材収納手段として、給紙トレイ７１、７２、７３が設けられ、それらのいずれかから選択された給紙トレイ７１（７２、７３）内の記録材Ｐはさらに案内ローラ４３により搬送され、レジストローラ対４４によって一時停止を行ない、タイミングを取ってレジストローラ対４４の回転により再給紙され、給紙経路４６に案内される。
【００２２】
記録材Ｐは、給紙トレイ案内ローラ４３、レジストローラ対４４等により給紙経路４６に案内される段階で、通常記録材の搬送方向に直交する方向について記録材ごとにずれが生じてしまう。
【００２３】
そこで、本発明に係る検知手段である位置検出センサ１０で、搬送される記録材Ｐの搬送方向に直交する方向の端部の位置の検出を行う。
【００２４】
位置検出センサ１０による記録材Ｐの搬送方向に直交する方向の端部の位置の検出について図２を用いて説明する。
【００２５】
図２は、給紙経路４６で搬送される記録材Ｐと位置検出センサ１０を示す図であり、記録材Ｐは給紙経路４６によりＸ方向に搬送されているとする。このときに、位置検出センサ１０は、搬送される記録材Ｐの搬送方向Ｘに直交するＹ方向において基準となる位置から記録材Ｐの端部の距離であるＳを検出する。本実施形態においては、給紙経路４６上の正確な位置を搬送されてきた場合の記録材（記録材Ｐ’とする）のＹ方向の端部の位置を基準となる位置としている。従ってＳは記録材Ｐが記録材Ｐ’位置からＹ方向に片寄った片寄り量を示す値となる。なお、本発明は、記録材Ｐの位置を正確に検知し、この検知結果に基づいて記録材に正しく画像形成位置及び孔を穿孔することで達成されるので、本実施形態以外の他の方法で記録材Ｐの位置を正確に検知する方法があれば、その方法を用いて記録材Ｐの位置を検知してもよい。
【００２６】
位置検出センサ１０による記録材Ｐの搬送する方向に直交する方向の端部の位置の検出が行われた後、記録材Ｐは転写前ローラ４３ａおよび進入ガイド板４７等を経て転写領域に案内される。
【００２７】
画像形成部Ｃでは、画像形成ユニットとして、像担持体である感光体ドラム２１と、その外周に、帯電手段である帯電器２２、現像器２３、感光体ドラム２１上に帯電した像を記録材Ｐに転写する転写手段２４、感光体ドラム２１に密着している記録材Ｐを分離する分離手段２５、搬送手段であるベルト搬送部４５、感光体ドラム２１のクリーニング手段２６及び除電手段としてのＰＣＬ（プレチャージランプ）２７が各々動作順に配置されている。
【００２８】
感光体ドラム２１は、光導電性化合物をドラム基体上に塗布形成したもので、例えば有機感光体が好ましく使用され、矢示の時計方向に駆動回転される。
【００２９】
回転する感光体ドラム２１へは帯電器２２による一様帯電がなされた後、像露光手段としての露光光学系３０により画像処理部Ｂのメモリから呼び出された画像信号に基づいた像露光が行われる。
【００３０】
書き込み手段である像露光手段としての露光光学系３０は図示しないレーザーダイオードを発光光源とし、回転するポリゴンミラー３１、ｆθレンズ３４、シリンドリカルレンズ３５を経て反射ミラー３２を介して、感光体ドラム２１に対して矢印で示すＡｏの位置で主操作方向の像露光を行い、また、感光体ドラム２１の回転による副走査を介して感光体ドラム２１上に潜像を形成する。
【００３１】
このときに、位置検出センサ１０により得られた記録材Ｐの搬送方向に直交する方向の端部の位置の検知結果に基づいた像露光が行われる。
【００３２】
即ち、位置検出センサ１０によって得られた記録材Ｐの位置の検出結果である記録材Ｐの搬送方向に直交する方向の端部の位置の片寄り量Ｓの情報に基づいて、記録材Ｐの正しい位置に画像を形成することができるように、本発明に係る画像形成位置制御手段である制御部Ｆにより、露光光学系３０による感光体ドラム２１への像露光位置をＹ方向にＳだけずらす制御が行われる。これにより、記録材Ｐが通常よりＹ方向にＳだけ片寄って搬送されてきたとしても、感光体ドラム２１への像露光もＹ方向にＳだけずらされているので、記録材Ｐの正しい位置に画像形成することができ、記録材Ｐに形成される画像の位置のばらつきを抑えることができる。
【００３３】
感光体ドラム２１上の潜像は現像器２３によって反転現像され、感光体ドラム２１の表面に可視像のトナー像が形成される。
【００３４】
感光体ドラム２１上のトナー像は記録材Ｐ上に転写位置Ｂｏ（矢印位置）において転写手段２４を介して転写され、次いで、前記記録材Ｐは分離手段２５の作用で感光体ドラム２１面より分離された後、ベルト搬送部４５により定着部５０に向けて搬送される。
【００３５】
定着部５０は定着ローラ５１と加圧ローラ５２とを有しており、記録材Ｐが定着ローラ５１と加圧ローラ５２との間を通過する際に、加熱、加圧作用を付与し、トナー像を記録材Ｐに融着させる。
【００３６】
トナー像の定着処理がなされた記録材Ｐは、定着排紙ローラ６３により、穿孔部Ｅに搬送される。
【００３７】
穿孔部Ｅでは、位置検出センサ１０によって得られた記録材Ｐの検知結果である記録材Ｐの搬送方向に直交する方向の端部の位置の片寄り量Ｓの情報に基づいて、記録材Ｐの正しい位置に孔を穿孔することができるように、本発明に係る穿孔位置制御手段である制御部Ｆにより穿孔部Ｅの穿孔刃Ｅ１１を通常正確に記録材Ｐが搬送されてくる位置よりもＹ方向にＳだけ移動させてから穿孔を行う制御が行われる。これにより、記録材Ｐが通常よりＹ方向にＳだけ片寄って搬送されてきたとしても、穿孔を行う穿孔刃Ｅ１１もＹ方向にＳだけ移動させてから孔を穿孔するので、記録材Ｐに形成される孔の位置のばらつきを抑えることができる。
【００３８】
孔が穿孔された記録材Ｐは、排紙トレイ６４上に排出される。
一方、記録材Ｐが分離された感光体ドラム２１は、クリーニング手段２６によって感光体ドラム２１面の摺擦がなされ、残留トナーの除去・清掃がなされて、次の原稿画像のトナー像の形成を続行するか、もしくは一旦停止して待機する。
【００３９】
なお、次の原稿画像のトナー像の形成が続いて行われるときは、ＰＣＬ２７による感光体ドラム２１の感光体面への全面均一露光が行われて感光体ドラム２１に残留している履歴が消去される。
【００４０】
本発明の画像形成装置に用いられる穿孔部Ｅについて更に説明する。
図３に本発明の画像形成装置に用いられる穿孔部Ｅの断面構成図を示す。
【００４１】
図３において、Ｅ１は穿孔機構部である。Ｅ２は穿孔機構部Ｅ１を保持する保持レールである。穿孔機構部Ｅ１は、穿孔刃Ｅ１１と、穿孔刃Ｅ１１を動かして記録材Ｐに孔をあけるための穿孔刃移動用モータＥ１２とを有する。穿孔機構部Ｅ１は、支軸Ｅ１３によって、保持レールＥ２に保持されている。Ｅ３は、穿孔機構部Ｅ１を移動させる穿孔機構部移動用モータであり、穿孔機構部Ｅ１は、Ｙ方向に移動可能となっている。
【００４２】
穿孔機構部Ｅ１は、正確な位置で搬送されてくる記録材（記録材Ｐ’）に対して正しい位置に孔の穿孔を行うことができる位置に予め配置されている。したがって、穿孔部Ｅに新たに片寄り検知センサを設ける必要がない。
【００４３】
制御部Ｆは、位置検出センサ１０により入手した記録材Ｐの搬送方向に直交する方向（Ｙ方向）の端部の位置の片寄り量Ｓの情報に基づいて、穿孔機構部移動用モータＥ３により、穿孔機構部Ｅ１を予め配置されている位置からＹ方向にＳだけ移動させる制御を行う。さらに、記録材Ｐが穿孔を行う位置に搬送されてきたら、穿孔刃移動用モータＥ１２を移動させて記録材Ｐに孔を穿孔させる制御を行う。
【００４４】
本発明の画像形成装置においては、上述したように、記録材Ｐの位置検出センサ１０による記録材Ｐの搬送方向に直交する方向の端部の位置を画像形成時の画像形成位置、穿孔時の孔の位置の決定に共有して用いており、穿孔部に片寄り検知センサを設ける必要がなく、位置検知センサの数を抑えた設計となっており、低コスト化が図られている。また、本発明の画像形成装置は、穿孔部での片寄り検知センサによる検知時のタイムロスも抑えられていることから、装置の高速化を妨げず生産性の低下を防止している。
【００４５】
【発明の効果】
本発明により、低コストで生産性を低下させずに、記録材の正確な位置に画像形成を行い、さらに記録材の正確な位置に穿孔処理を行うことができる画像形成装置を提供することができた。
【図面の簡単な説明】
【図１】本発明の画像形成装置の断面構成図である。
【図２】本発明の画像形成装置の記録材の位置の検出動作の説明図である。
【図３】本発明の画像形成装置に用いられる穿孔部の断面構成図である。
【符号の説明】
Ａ　画像読み取り部
Ｂ　画像処理部
Ｃ　画像形成部
Ｄ　記録材搬送部
Ｅ　穿孔部
Ｆ　制御部
１０　位置検出センサ
【図１】
2004091173.tif 000003
【図２】
2004091173.tif 000004
【図３】
2004091173.tif 000005